(57)【特許請求の範囲】
【請求項１】
携帯通信装置（１）において、主装置ハウジング（１０）と、制御器と、ユーザーインターフェースであって、第１キーパッド（１６−１８）と、第１表示部（１３）と文字を受取る機能とを備えた前記ユーザーインターフェースと、前記機能は第１キーパッド上でユーザーにより入力されたキーストロークに応答してテキストを形成するようにされており、第２キーパッド（２２）と第２表示部（３２）とを有する外部アクセサリ装置（２）と取外し可能に接続するアクセサリ・コネクタ（１５）と、を有し、
通信装置（１）の制御器は、前記アクセサリ・コネクタ（１５）を介してアクセサリ装置（２）から、第２キーパッド（２２）上で前記ユーザーにより入力されたキーストロークを表すディジタル信号を受信するようにされ、制御器はさらに通信装置の前記ユーザーインターフェースで文字を受取る前記機能へ前記ディジタル信号を転送するようにされている、
ことを特徴とする携帯通信装置。
【請求項２】
請求項１記載の装置において、第１キーパッド（１６−１８）と第１表示部（１３）は主装置ハウジング（１０）の前面部に設けられ、さらにアクセサリ装置（２）を通信装置（１）の後背部に固定する係合装置（４２）を含む装置。
【請求項３】
請求項１及至２いずれか記載の装置において、主装置ハウジング（１０）に配置した電池をさらに含み、前記アクセサリ・コネクタ（１５）は電池からアクセサリ装置（２）へ電力を供給するように配置されている装置。
【請求項４】
請求項１及至３いずれか記載の装置において、通信装置（１）の制御器は前記アクセサリ・コネクタ（１５）を介してアクセサリ装置（２）から肯定及び否定動作を受取るよう配置され、前記動作は通信装置（１）のユーザーインターフェースへ向かい、かつアクセサリ装置の第３キーパッド上のキーストロークとして前記ユーザーにより入力される装置。
【請求項５】
請求項１及至４いずれか記載の装置において、装置は無線電話、望ましくは移動またはセルラ電話である装置。
【請求項６】
携帯無線電話（１）のアクセサリ装置（２）において、第１キーパッド（１６−１８）と、第１表示部（１３）と、文字を受取る機能とを備える第１ユーザーインターフェースを有する型式であり、前記機能は第１キーパッド上でユーザーにより入力されたキーストロークに応答してテキストを形成するようにされており、アクセサリ装置は、第２キーパッド（２２）と、第２表示部（３２）と、前記型式の携帯無線電話と取外し可能に接続するアクセサリ・コネクタとを含み、
アクセサリ装置（２）の制御器（４００）であって、前記制御器は第２キーパッド（２２）上でユーザーにより入力されたキーストロークを検出するようにされており、検出したキーストロークを表すディジタル信号を発生し、無線電話（１）のユーザーインターフェースで文字を受取る前記機能へ前記アクセサリ・コネクタを介してディジタル信号を転送する前記制御器（４００）と、
を特徴とする携帯無線電話（１）のアクセサリ装置（２）。
【請求項７】
請求項６記載のアクセサリ装置において、アクセサリ装置（２）の制御器（４００）はさらに第２表示部（３２）上のテキストとして入力されたキーストロークを表示するようにしているアクセサリ装置。
【請求項８】
請求項６または７記載のアクセサリ装置において、第１及び第２部分（２０、３０）を有する装置ハウジングをさらに含み、第２キーパッド（２２）は第１装置ハウジング部分（２０）に設けられているが、第２表示部（３２）は第２装置ハウジング部分（３０）に設けられているアクセサリ装置。
【請求項９】
請求項６−８いずれか記載のアクセサリ装置において、第１装置ハウジング部分（２０）と第２装置ハウジング部分（３０）は互いに旋回的に結合されているアクセサリ装置。
【請求項１０】
請求項９記載のアクセサリ装置において、第１装置ハウジング部分（２０）と第２装置ハウジング部分（３０）との間のヒンジ（４４）を含むアクセサリ装置。
【請求項１１】
請求項６−１０いずれか記載のアクセサリ装置において、前記アクセサリ・コネクタを介して携帯無線電話（１）の電池から電力を受取るようにされているアクセサリ装置。
【請求項１２】
請求項６−１１いずれか記載のアクセサリ装置において、無線電話（１）へ他のアクセサリ装置を接続する第２アクセサリ・コネクタ（２５）をさらに含むアクセサリ装置。
【請求項１３】
請求項６−１２いずれか記載のアクセサリ装置において、第２キーパッド（２２）はタイプライタ型式キーボード上のキーに基本的に対応する英数字キーを含むアクセサリ装置。
【請求項１４】
請求項６−１３いずれか記載のアクセサリ装置において、第２装置ハウジング部分（３０）は第３キーパッド（３３−３８）を含み、前記第３キーパッドは第２表示部（３２）上でカーソルを操作するキー（３５−３８）を有するアクセサリ装置。
【請求項１５】
請求項１４記載のアクセサリ装置において、第３キーパッド（３３−３８）は無線電話（１）のユーザーインターフェースで肯定及び否定動作を実行するキー（３３−３４）を有するアクセサリ装置。
【請求項１６】
請求項６−１５いずれか記載のアクセサリ装置において、シリアル通信プロトコルに従って前記ディジタル信号を形成する通信装置（４４０）をさらに含むアクセサリ装置。
【請求項１７】
請求項１６記載のアクセサリ装置において、前記通信装置（４４０）はＵＡＲＴを含むアクセサリ装置。
【発明の詳細な説明】
【０００１】
（発明の技術分野）
本発明は、主装置ハウジングとキーパッドと表示部とを含むユーザーインターフェースとを有する型式の携帯通信装置に関係する。
【０００２】
（関連技術の説明）
記載した種類の携帯通信装置はもちろん平凡なものである。公知の例は、例えばＧＳＭシステム（ヨーロッパの移動通信用グローバルシステム）またはＤ−ＡＭＰＳ（米国でのディジタル・アドバンスト移動電話システム）で動作するセルラまたは移動電話である。
【０００３】
人間のユーザー間で音声の無線通信を実行する手段としてのその基本的役割に加えて、現代の移動電話は単なる音声の通信以外に複数個のサービスをしばしば提供する。1つの非常に一般的なサービスは、短いテキスト・メッセージを送信する能力であり（例えばＧＳＭのＳＭＳ−ショート・メッセージ・サービス）、ここで電話のユーザーは所定最大数の英数字文字を含むテキスト・メッセージを作成し、次いで意図する受信者に移動電話網を通してこれを送信する。
【０００４】
標準の移動電話では、メッセージに含まれるテキスト列（英数文字の列）を入力するためにその通常の電話キーパッドが使用される。標準の電話キーパッドは数字０から９と＊キーと＃キーのようないくつかのその他のキーのみを通常含んでいるため、この異なるキーの限定された組がより多数の異なる英数文字、例えば英語アルファベットの２５の異なる文字、を表現しなければならない。
【０００５】
実際には、各数字キー０−９はいくつかの異なる英数文字を表現しなければならない。例えば、数字キー２は英数文字Ａ、Ｂ、Ｃと共に
0004527335.tif 000002
及び数字２も表す。ユーザーは、異なる回数だけ連続に数字キー２を押下することにより異なる文字間で選択する。
【０００６】
同様の方式を使用して、移動電話に通常含まれている電子電話帳の項目を作成し編集する。
【０００７】
多数の人々がその移動電話を主に音声呼に使用しているが、他のユーザー分類は、テキスト・メッセージを作成する及び／または電子電話帳の項目を作成／編集するため上記オプションを頻繁に使用している。特に、移動業務または生活方式を有している人々は多くの場合このようなテキスト・ベースのサービスの頻繁なユーザーである。このような人々の公知の例は若い人々（１０代）及ビジネスマンである。
【０００８】
移動電話のテキスト・ベース・サービスの頻繁なユーザーにとって、通常の電話キーパッドは移動電話にテキストを入力する完全なツールからは程遠い。異なるキーを異なる回数だけ繰返して押下することは、面倒で、時間がかかり、非効率的である。それ故、移動電話にテキストを入力する改良された方法の明白な需要が存在する。
【０００９】
さらに、移動電話の標準表示部は通常限定された寸法しか有さず、それゆえ同時に限定された数の異なる文字のみを表示可能である。
【００１０】
改良されたユーザーインターフェースを提供する問題に対する既知の解決法は、移動電話と携帯コンピュータとの間の組み合わせである装置である。このような装置（しばしばパーソナル・ディジタル・アシスタント−ＰＤＡと呼ばれる）はＥＰ−Ａ−０  ７７６  １４０号に開示され、２つの別々なユーザーインターフェースと折畳み可能な外部ハウジングを含む。外部ハウジングが閉じられている時、この装置は通常の移動電話の外観と寸法とを有し、ここでは第１のユーザーインターフェースが利用可能であり、これは実質的に通常の電話ユーザーインターフェース（すなわち、表示部と数字電話キーパッド）に対応する。反対に、外部ハウジングが開かれると、第２のユーザーインターフェースが露出され、これはより大きな表示部と英数字キーボードを提供する。第２ユーザーインターフェースの英数字キーボードと大きな表示部は、例えばＳＭＳメッセージを作成したりまたは電子電話帳の項目を処理したりするため、英数字メッセージ（テキスト列）を入力するために使用される。第２ユーザーインターフェースの大きな表示部はまた画像等を表示するグラフィックモードで使用してもよい。
【００１１】
ＥＰ−Ａ−０  ７７６  １４０号の装置はいくつかの有用な機能を提供するが、これはまたある種のユーザーにはいくつかの明瞭な欠点を有する。第１に、この装置は通常の移動電話より相当に進歩している。従って、その価格と共にユーザーの必要な知識レベルが通常の移動電話より相当に高い。さらに、全体の装置寸法、重量及び電力消費は通常の移動電話より大きい。
【００１２】
それ故、ＥＰ−Ａ−０  ７７６  １４０号から分かる進化したＰＤＡ装置を購入する十分なお金がない、または個人の観点からその各種の進化した特長に特別な有為性を単純に見出せないユーザーにとって、ＥＰ−Ａ−０  ７７６  １４０号の装置は移動電話へのテキストの入力を容易にする問題の最適な解決法を表してはいない。
【００１３】
（発明の要約）
以上のことから、本発明の目的は、通常の数字電話キーパッド自体のみに依存することなく、移動電話のユーザーにとってテキストを電話に入力することを容易にするアクセサリ装置を提供することである。
【００１４】
本発明のその他の目的は、従来技術の装置より柔軟な携帯通信装置を提供することである。特に、この携帯通信装置は、ユーザーが通常の電話サービス（音声の通信）にのみ関心がある状況で、小型であり、低重量で低電力消費である。反対に、通常の音声通信以上のより進化した機能が必要な場合（テキスト処理またはグラフィック情報の提示）、この携帯通信装置は、これらのサービスにより適したユーザーインターフェースを提供する。
【００１５】
上記の目的は、主装置ハウジングと、第１キーパッドと第１表示部とを備える第１ユーザーインターフェースと、第２キーパッドと第２表示部とを備える第２ユーザーインターフェースと、を有し、第２キーパッドと第２表示部は携帯通信装置の主装置ハウジングに取外し可能に接続可能である、携帯通信装置により達成される。
【００１６】
この目的はまた上記型式の携帯無線電話用アクセサリ装置の提供によっても達成され、ここでアクセサリ装置は第１及び第２ハウジング部分を含む装置ハウジングを有し、第２キーパッドは第１ハウジング部分に設けられ、第２表示部は第２ハウジング部分に設けられ、係合装置が設けられてアクセサリ装置を無線電話に物理的かつ動作的に接続し、制御装置はユーザーにより第２キーパッド上で入力されたキーストロークを受信しかつ入力キーストロークを第２表示部上に表示するようにしている。
【００１７】
本発明のその他の目的、特徴と利点は、図面と共に添付した請求項から、望ましい実施例の以下の詳細な開示から明らかとなる。
【００１８】
（望ましい実施例の詳細な説明）
図１は本発明の望ましい実施例によるアクセサリ装置２と共に携帯通信装置１を図示する。本明細書の以下では、携帯通信装置１は、無線電話、特に移動ＧＳＭ電話として例示され、参照される。移動電話１はそれ自体従来技術から基本的に公知であり、装置ハウジング１０、ハウジング上部に取付けたアンテナ１１、ハウジングの上前部に設けたスピーカ１２、装置ハウジング１０のこれも前部に設けた可視表示部１３及びマイクロフォン１４を含む。さらに、移動電話１は、各々が０から９の各数字を表す複数個の数字キー１６を有する通常の数字電話キーパッドを含む。＊キーと＃キー１７ａ、１７ｂも設けられ、通常の機能を有する。
【００１９】
キーパッドはまたＹＥＳキー１８ａも含み、これは通常の方法で例えば入力呼に応答するために、または移動電話１のマンマシン・インターフェースにより提供される何らかのルーチンまたはオプションで肯定応答を実行するために使用される。ＮＯキー１８ｂはマンマシン・インターフェース内の前記機能への否定応答を提供する機能を同様に有する。これはまた通常の方法で進行中の呼を終了するために使用される。さらに、これはまた移動電話１をオンにする電源オン・キーとして使用してもよい。
【００２０】
電話キーパッドはまた、例えばマンマシン・インターフェースを初期状態にリセットする（マンマシン・インターフェースにより提供されるメニュー体系内の任意のオプションから脱出する）ために使用されるクリアキー１８ｃと、マンマシン・インターフェースの異なるオプション中をスクロールするために使用される矢印キー１８ｄ、１８ｅも含む。
【００２１】
移動電話１はまた装置ハウジング１０の底部にアクセサリ・コネクタ１５を含み、これは移動電話１をハンズフリー・セットまたは充電器のような市販アクセサリ装置に接続するために使用される。
【００２２】
図１の下部は、図１の矢印により指示される方向に移動電話１に向けてアクセサリ装置２を押すことにより移動電話１のアクセサリ・コネクタ１５に取外し可能に挿入される外部コネクタ（図示せず）を有する新規のアクセサリ装置２を開示する。
【００２３】
図２及び図３により詳細に図示されているアクセサリ装置２は、第１ハウジング部分２０と第２ハウジング部分３０とを含む。ハウジング部分２０と３０はヒンジ機構４４により互いに結合されている。アクセサリ装置２はネジのような解放可能な固定部材４２により移動電話１の背後面に固定して取付けられる。図２に示すように、第１ハウジング部分２０はキーボード２２を含み、これは通常のタイプライタ型式のキーボード（ＱＷＥＲＴＹキーボード）に相似している。第２ハウジング部分３０は大きな表示部３２と共にカーソル操作キー３５−３８、ＹＥＳ／ＯＫキー３３及びＮＯ／ＣＡＮＣＥＬキー３４を含む。第２ハウジング部分３０は図３に示した閉鎖位置と図２に示した開放位置との間で折畳み可能である。第１ハウジング部分２０の底部には、外部アクセサリ・コネクタ２５が設けられ、これは移動電話１のアクセサリ・コネクタ１５と基本的に同一である。外部アクセサリ・コネクタ２５は、充電器のような別のアクセサリ装置をアクセサリ装置２に、そして間接的に移動電話１に接続するために使用される。
【００２４】
キーボード２２は通常の英語アルファベットのキーＡからＺを含む複数個の英文字キーを含む。数字０から９を表す複数個の数字キー３２もキーボード２２に設けられる。
【００２５】
シフトキーも含まれ、キーの表面に印刷された文字値（例えばＫ）と他の文字
0004527335.tif 000003
との間の各英文字キーの機能を切替えるためにそれ自身公知の方法で使用される。例えば１と！との間で数字キーの機能を切替えるためにもシフトキーが使用される。
【００２６】
キーボード２２の下部にはスペースキーが設けられる。以下では、キーボード２２の各種異なるキーを「英数字キー」として一般的に参照する。
【００２７】
望ましい実施例によると、キーボード２２はまた複数個のプログラム可能な機能キーも含み、これは移動電話１のマンマシン・インターフェースである種のオプションを入力するために使用される。機能キーは、他のユーザーへ送信すべきテキスト・メッセージ（ＧＳＭのＳＭＳメッセージのような）を発生するキーを含むことが望ましい。このＳＭＳ機能キーを押下した時、アクセサリ装置２内部の論理回路（図７により詳細に図示）は、ＡＴコマンド列の形式が望ましいディジタル制御信号を形成し、これは、電話１のマンマシン・インターエースでＳＭＳメッセージを発生し送信するオプションを移動電話１に入力させるコマンド列を含む。言い換えると、ＳＭＳ機能キーを叩くと、移動電話１はＳＭＳメッセージを送信するメニュー・オプションに入り、ユーザーには点滅するカーソルを有する空の表示部３２が与えられ、これは移動電話１が文字毎に入力したテキスト・メッセージを受信可能であることを指示する。ここでユーザーは、キーボード２２の異なるキーを叩くことによりテキスト・メッセージを文字毎に入力する。全ての入力文字は表示部３２に示され、ユーザーは第２ハウジング部分３０上の表示部３２の右側に設けた操作キー３５−３８により入力したテキスト・メッセージ内を進行する。メッセージを完全に入力すると、ＹＥＳ／ＯＫボタン３３を押すことによりこれは送信される。
【００２８】
同様にキーボード２２の機能キーは電話帳キーを含み、これは移動電話１のマンマシン・インターフェースでの他のオプション、すなわちその電子電話帳に入力するオプションを起動する。
【００２９】
既述したように、アクセサリ装置２はその上部に外部コネクタ（図面には図示せず）を含む。このコネクタの目的は、移動電話１へアクセサリ装置３へ操作的に接続するように、移動電話１のアクセサリ・コネクタ１５と係合することである。アクセサリ装置２のコネクタは複数個の接続部材またはピンと共に２個の係合部材を含み、この部材は移動電話１のアクセサリ・コネクタ１５の対応する係合凹部と係合するようにされている。個々の接続部材は信号線または電源線として所定の電気的機能を有する。特に、接続部材の内の２本は電源ピンであり、これはアクセサリ・コネクタの対応する接点と係合するようにされて、移動電話１の電源（電池）から電力を受取る。従って、望ましい実施例のアクセサリ装置２は内部電源を有さず、移動電話１から全ての必要電力を受取る。他の接続部材はシリアル通信線、基準電圧線等として作動する目的を有する。
【００３０】
ここで図４を参照すると、プリント回路板４００の概略図が与えられている。プリント回路板４００はアクセサリ装置２の第１ハウジング部分２０の内部空洞内に取付けられる。制御器４１０はキーボード２２と表示部３２の機能を制御し実行する主責任を有する。望ましい実施例では、制御器４１０は任意の市販のプログラム可能なマイクロプロセッサにより実装される。制御器４１０はキーストローク検出器回路４２０に接続され、これはユーザーがキーボード２２の各キーを叩いた時を検出し、この情報を制御器４１０に転送する目的を有する。
【００３１】
さらに、プリント回路板４００は制御器４１０により実行されるべきプログラム命令と共に、特定キーストロークの検出に応答して個別のキーを識別するために使用される基準データを記憶する電子メモリ４３０を含む。メモリ４３０はＥＥＰＲＯＭメモリのような任意の市販電子メモリにより実装される。さらに、これは制御器４１０と統合されるのが有利であり、特に後者がプログラム可能マイクロプロセッサとして実現される場合に有利である。プリント回路板４１０はまた表示部３２上にテキスト文字またはグラフィック情報を与える表示ドライバ回路４５０も含む。
【００３２】
望ましい実施例によると、アクセサリ装置２はシリアル通信インターフェースを通して９６００ｂｐｓのレートで移動電話１と通信する。それゆえ、プリント回路板４００には移動電話１とのシリアル通信を実行する送受信器が設けられる。望ましい実施例では送受信器４４０は汎用非同期送信器受信器（Universal Asynchronous Transmitter Receiver）として実現され、これはアクセサリ装置２の別のアクセサリ・コネクタ２５に接続される。当然、送受信器４４０はアクセサリ装置の上部コネクタ、すなわち移動電話１のアクセサリ・コネクタ１５と係合するようにされているコネクタにも接続される。
【００３３】
望ましい実施例では、アクセサリ装置２により検出された全てのキーストロークはアクセサリ・コネクタ１５を介して移動電話１、特にその中央制御器に送信され、この中央制御器が移動電話１のマンマシン・インターフェースを制御し操作する。この情報はＡＴコマンド列として送信されることが望ましい。同様に、アクセサリ装置２の制御器４１０は大きい表示部３２上に与えられるべきテキストまたはグラフィック情報を受信するようにされる。このようにして、アクセサリ装置２はテキストを入力することのみならず、ＷＡＰアプリケーション（無線アプリケーション・プロトコル、Wireless Application Protocol）でインターネットをブラウズすることに使用してもよい。この点に関して、操作キー３５−３８を使用してカーソルを表示部３２上で移動させ、ＹＥＳ／ＯＫキー３３を使用してマウス・クリックと同様の操作を実行してもよい。
【００３４】
従って、望ましい実施例のアクセサリ装置２は、中央制御器により提供される機能と移動電話１のマンマシン・インターフェースとをアクセスする改良されたユーザーインターフェースを提供する意図のものである。しかしながら、アクセサリ装置２の制御器４１０はまた、移動電話１の標準マンマシン・インターフェースに含まれていない追加の機能を提供するように配置してもよい。
【００３５】
アクセサリ装置２には第２ハウジング部分３０が開放されているかまたは閉鎖されているかどうかを検出するスイッチを設けることが望ましい。制御器４１０はこのスイッチに接続され、折畳み可能な第２ハウジング部分の開放または閉鎖位置に関する情報を移動電話１の中央制御器に転送するようにされている。この情報はまた、折畳み可能な第２ハウジング部分３０の位置に応じて表示部３２のバックライト照明を各々オンオフするために制御器４１０により使用されてもよい。
【００３６】
望ましい実施例を参照して以上に本発明を記述した。しかしながら、添付の独立特許請求項により定義するような本発明の範囲内で開示したもの以外の他の実施例も同様に可能である。
【図面の簡単な説明】
添付の図面を参照して本発明を詳細に説明する。
【図１】  本発明の望ましい実施例による携帯通信装置と取外し可能なアクセサリ装置の概略図。
【図２】  本発明の望ましい実施例による携帯通信装置と取外し可能なアクセサリ装置の概略図。
【図３】  本発明の望ましい実施例による携帯通信装置と取外し可能なアクセサリ装置の概略図。
【図４】  アクセサリ装置の望ましい実施例によるプリント回路板とその基本部品の概略ブロック線図。
【図１】
0004527335.tif 000004
【図２】
0004527335.tif 000005
【図３】
0004527335.tif 000006
【図４】
0004527335.tif 000007